(57)【要約】【課題】簡易に動画酔いを起こしにくい表示ができる。【解決手段】動画データを再生する再生手段と、指定された拡大率に応じて、再生手段により再生された動画データの画面のうちの拡大率に対応した範囲を切り出し、切り出した動画データを所定のサイズに拡大する処理を行う画像処理手段と、画像処理手段からの動画データを、外部の表示装置に出力する出力手段と、外部の表示装置の表示サイズを検出する検出手段と、動画データが示す動画の動き量、検出手段により検出された表示サイズ、及び、指定された拡大率に応じてぶれ速度を取得し、取得されたぶれ速度が閾値以上の場合に、画像処理手段による拡大率を制限する制御手段とを備えること。【選択図】図１
2015215526.tif 000002
【特許請求の範囲】
【請求項１】
動画データを再生する再生手段と、
指定された拡大率に応じて、前記再生手段により再生された動画データの画面のうちの前記拡大率に対応した範囲を切り出し、切り出した動画データを所定のサイズに拡大する処理を行う画像処理手段と、
前記画像処理手段からの動画データを、外部の表示装置に出力する出力手段と、
前記外部の表示装置の表示サイズを検出する検出手段と、
前記動画データが示す動画の動き量、前記検出手段により検出された表示サイズ、及び、前記指定された拡大率に応じてぶれ速度を取得し、前記取得されたぶれ速度が閾値以上の場合に、前記画像処理手段による拡大率を制限する制御手段とを備えることを特徴とする撮像装置。
【発明の詳細な説明】
【技術分野】
【０００１】
本発明は、再生装置に関し、特に、再生された画像の拡大処理に関するものである。
【背景技術】
【０００２】
近年、ビデオカメラの小型化が進み、体の一部に固定しても動きを制限されることなく、自然に撮影ができるウエアラブルカメラと言われるカメラがある。従来より、手に持って撮影するビデオカメラがあったが、手や体が動くことにより、手ブレと言われる画像揺れが生じることがあった。さらに、ウエアラブルカメラを体に付けて撮影する場合には、移動やその他様々な動作の際にカメラが一緒に動くため、従来の手ブレ動画以上に大きくブレた画像が撮影される。
【０００３】
一方、カメラの高画素化と広角化が進み、広角で撮影して、必要なところのみ切り出して使用する事も多い。切り出して拡大表示すると、ブレ画像は拡大率に応じてさらにブレ幅が大きくなる。
【０００４】
さらに、テレビの大型化により、大きくブレた画像を大型画面で再生すると、ブレがさらに大きく表示されてしまい、視聴者が動画酔いを起こすことがあった。
【０００５】
そこで、動画酔いを軽減するために、再生時に手ブレ補正をする技術が提案されている（特許文献１）。また、手ブレ幅が大きい場合でも視聴者が動画酔いを起こさないように、被写体のブレ量が設定された閾値以上である場合に表示サイズを小さくする構成が知られている（特許文献２）。
【先行技術文献】
【特許文献】
【０００６】
【特許文献１】特許第4525459号明細書
【特許文献２】特開2008-170845号公報
【発明の概要】
【発明が解決しようとする課題】
【０００７】
しかしながら、特許文献１では、手ぶれが大きい場合には補正処理の負荷が大きい。また、特許文献２では、表示画面の大きさは考慮されておらず、実際の表示画面上でのブレの実速度を反映できないために、動画酔いを起こしにくい適切な表示にすることが出来なかった。
【課題を解決するための手段】
【０００８】
本発明に係る撮像装置の構成は、動画データを再生する再生手段と、指定された拡大率に応じて、前記再生手段により再生された動画データの画面のうちの前記拡大率に対応した範囲を切り出し、切り出した動画データを所定のサイズに拡大する処理を行う画像処理手段と、前記画像処理手段からの動画データを、外部の表示装置に出力する出力手段と、前記外部の表示装置の表示サイズを検出する検出手段と、前記動画データが示す動画の動き量、前記検出手段により検出された表示サイズ、及び、前記指定された拡大率に応じてぶれ速度を取得し、前記取得されたぶれ速度が閾値以上の場合に、前記画像処理手段による拡大率を制限する制御手段とを備えることを特徴とする。
【発明の効果】
【０００９】
本発明によれば、簡易に動画酔いを起こしにくい表示ができる。
【図面の簡単な説明】
【００１０】
【図１】実施例の画像表示システムの概略図
【図２】実施例のブロック図
【図３】実施例のフローチャート
【図４】実施例の表示の例
【発明を実施するための形態】
【００１１】
＜第１の実施形態＞
以下、図面を参照して本発明の実施形態を説明する。図１に本実施形態の画像表示システムの外観構成を示す。図１において、画像表示システムは、表示装置であるディスプレー１００と、再生装置であるビデオカメラ２００から構成される。
【００１２】
ディスプレー100について説明する。ディスプレー100には液晶や有機ELなどを用いた動画を表示するための表示パネル101がある。図示しない入出力端子（たとえばHDMI（登録商標）端子等）があり、入出力端子から入力した動画を表示パネル101に表示することができる。
【００１３】
ビデオカメラ200について説明する。表示部201には動画や各種情報を表示できる。トリガーボタン202は撮影指示を行うための操作部である。操作部203はユーザーからの各種操作を受け付ける各種スイッチ、タッチパネル等の操作部材より成る操作部である。電源スイッチ204は、電源オン、電源オフを切り替える。図示しない入出力端子（たとえばHDMI端子等）があり、入出力端子から動画を出力することができる。本発明の画像表示システムではディスプレー100とビデオカメラ200を接続することで構成されている。
【００１４】
図２は、本実施形態による画像表示システムの構成例を示すブロック図である。ディスプレー100は入出力端子部102から入力された動画データをディスプレー制御部103で処理し、表示パネル101に表示する。また、入出力端子部102はディスプレー100の情報（例えば、表示パネルサイズなど）を接続機器に出力することができる。
【００１５】
次に、ビデオカメラ200の説明をする。撮像レンズ205はズームレンズ、フォーカスレンズを含むレンズ群である。撮像部206は光学像を電気信号に変換するＣＣＤやＣＭＯＳ素子等で構成される撮像素子である。
【００１６】
画像処理部207は、撮像部206からのデータに対し所定の画素補間、縮小といったリサイズ処理や色変換処理を行う。また、画像処理部207では、撮像した動画データを用いて所定の演算処理が行われ、得られた演算結果に基づいてシステム制御部208が露光制御、測距制御を行う。画像処理部207では更に、撮像した動画データを用いて所定の演算処理を行う。また、画像処理部２０７は、後述のように、再生された動画データの画面の一部を切り出し、切り出した一部の画像データを、表示部２０１、或いは、ディスプレー１００の表示サイズに拡大する処理を行うことが可能である。
【００１７】
メモリ209は、撮像部206によって得られた動画データや、表示部201に表示するための動画データを格納する。表示部201は、ＬＣＤ等の表示器上に、表示を行う。撮像部206からの画像を表示部201に逐次転送して表示することで、電子ビューファインダとして機能し、スルー画像表示を行える。また、メモリ209には、電気的に消去・記録可能なメモリである不揮発性メモリも含まれる。そのため、メモリ209にはシステム制御部208の動作用の定数、プログラム等が記憶される。ここでいう、プログラムとは、本実施形態にて後述するフローチャートを実行するためのプログラムのことである。システム制御部208は、ビデオカメラ200を制御する。前述したメモリ209に記録されたプログラムを実行することで、後述する本実施形態の処理を実現する。また、システム制御部208はメモリ209、表示部201等を制御することにより表示制御も行う。トリガーボタン202、操作部203はシステム制御部208に各種の動作指示を入力するための操作手段である。
【００１８】
トリガーボタン202は、操作するとトリガー信号を発生し、システム制御部208は、撮像部206からの信号読み出しから記録部210に動画データを書き込むまでの一連の撮影処理の動作を開始する。トリガーボタン202を再度操作すると、システム制御部208は、撮像部206からの信号読み出しから記録部210に動画データを書き込むまでの一連の撮影処理の動作を終了する。
【００１９】
操作部203の各操作部材は、表示部201に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部201に表示される。利用者は、表示部201に表示されたメニュー画面と操作部203とを用いて直感的に各種設定を行うことができる。
【００２０】
電源部211は、電池検出回路、ＤＣ−ＤＣコンバータ、通電するブロックを切り替えるスイッチ回路、アルカリ電池やリチウム電池等の一次電池やＮｉＣｄ電池やＮｉＭＨ電池、Ｌｉ電池等の二次電池、ＡＣアダプター等により構成され、電源供給および電池の装着の有無、電池の種類、電池残量の検出を行う。また、電源部211は、その検出結果及びシステム制御部208の指示に基づいてＤＣ−ＤＣコンバータを制御し、必要な電圧を必要な期間、記録部210を含む各部へ供給する。
【００２１】
記録部210は、撮影された画像を記録するためのメモリカード等の記録媒体であり、半導体メモリや磁気ディスク等から構成される。
【００２２】
ブレ検出部212は、ジャイロや各速度センサなどであり、フレーム毎に検出された動き量と動きベクトルよりシステム制御部208で単位時間あたりのブレ量としてブレの速度を算出し、各フレームに関連づけて記録部210に記録される。入出力端子213は他の機器からのデータ通信ができ、記録部210に記録された動画データや動画情報などを接続されている他の機器に送ることができる。また、他の機器からデータを受け取ることもできる。
【００２３】
次に図３を用いて、動画データの再生処理について説明する。図３はビデオカメラ200による動画データの再生処理の動作を示すフローチャートである。ビデオカメラ200で再生が開始されると、ディスプレー100の表示サイズを受信（Ｓ201）する。または、ユーザーがディスプレー100の表示サイズを入力することで受信する。ユーザーより拡大指示（Ｓ202）がなければ、そのまま拡大されずに再生される（S203）。ユーザーより拡大指示（Ｓ202）が入力されると（Ｓ202）、再生動画のブレ速度の情報、ディスプレー100の表示サイズ情報、拡大率より、表示上でブレの実速度を演算する（Ｓ204）。ブレの実速度については、詳細は後述する。演算結果より、ブレの実速度が画像酔いを起こしやすい閾値以上（Ｓ205）であれば、ユーザー指示より小さい拡大率で再生する（Ｓ206）。ブレの実速度が画像酔いを起こしやすい閾値未満であれば（Ｓ205）、ユーザー指示の拡大率で表示する（Ｓ207）。再生終了指示（Ｓ208）がなければ、拡大指示（Ｓ202）の入力より繰り返し制御される。
【００２４】
画像酔いは急激に被写体が大きく動くシーンを見ることによって起きやすい。その判断のため、本実施例では、被写体が表示画面上を単位時間当たりに動く実寸法としてブレの実速度Ｖｋを定義している。ブレの実速度は以下の通り演算される。
【００２５】
動画データにはフレーム毎に撮像素子上を被写体が動いた速度Ｖが付加されている。再生される表示画面の大きさＬｄとすると、撮像素子の大きさＬｃに対して、表示画面上を被写体が動く速度Ｖｄは
Ｖｄ＝Ｖ×Ｌｄ／Ｌｃ  （式１）
となる。
【００２６】
さらに、ユーザーによって拡大率（Ｋ倍）が指示されると、表示画面上を被写体が動くブレの実速度Ｖｋは
Ｖｋ＝Ｖｄ×Ｋ  （式２）
となる。
【００２７】
本実施例ではブレの実速度Ｖｋが、画像酔いを生じやすい速度であるか否かを判別するための閾値がメモリ２０９に記憶されている。Ｖｋと閾値を比較することで、画像酔いを起こしやすいかどうかを判別できる。また、画像酔いの生じやすさは条件によって違うため、閾値の設定はユーザーが任意に設定できるものであってもよい。
【００２８】
図４を用いて拡大時の表示について表示例を元に説明する。図４（a）は撮像部206に含まれる撮像センサーの図である。206-1は撮像面、Lcは撮像面の大きさ、Ｖは撮影時のブレの速度であり、動画とともに記録される。図４（b）〜（d）はディスプレー100での再生動画の図である。図４（b）は記録されている全画角の表示であり、拡大はされていない。Ｌｃは表示パネル101の大きさである。Ｖｄは表示画面上を動く速度であり、記録されたブレ速度Ｖより演算される（式１）。ユーザーによりＡ範囲で切り出し拡大の指示があると、ブレの実速度ＶｋAが演算される（式２）。ブレが小さい場合には、ブレの実速度ＶｋAが閾値未満となり、ユーザー指示の拡大率であるＡの範囲（図４（ｄ））の表示になる。ブレが大きい場合には、ブレの実速度ＶｋAが閾値以上となるので、実速度が閾値内となる拡大率(実速度VkBとなる拡大率)であるＢの範囲（図４（ｃ））の表示になる。
【００２９】
以上、説明したように、ブレ情報、表示サイズ情報、拡大率を掛け合わせることによって、容易に演算される表示画面上でのブレの実速度に対して拡大率を制限することにより、処理を簡易にすることができた。また、実際の表示画面上でのブレの実速度を拡大制限の判別に使用することで、小さい画面で見ている等の画像酔いを起こしにくい状況では拡大を可能にし、または、大画面で見ている等のブレが増幅されて動画酔いを起こしやすい状況では拡大を制限するといった適切な表示にすることが出来る。
【符号の説明】
【００３０】
１００  ディスプレー、２００  ビデオカメラ、１０１  表示パネル
【図１】
2015215526.tif 000003
【図２】
2015215526.tif 000004
【図３】
2015215526.tif 000005
【図４】
2015215526.tif 000006